(57)【要約】      （修正有）【課題】  キャップを一方向に回転させるだけで、中栓の内容物を容器本体内の内容物と混合させ、キャップと中栓とを容器本体から一緒に取り外すことができる二種内容物混合容器。【解決手段】  容器本体Ａの口筒部１外周には、上下方向に延びる直線状の案内溝６が設けられており、口部拡径部２には、係止突条８が突設され、中栓Ｂ外筒１０の内周には、容器口筒部の案内溝に嵌入し、中栓の回転を規制するリブ１４が設けられ、外筒外周には、ねじが螺設されており、中栓内筒には、その下端に周縁に沿って切断溝１８を刻設した底壁１７が連設され、内周上方から、下端周縁に前記切断溝を切断開封する切断刃を設けた切断部材Ｃが嵌挿されており、キャップはＤ、その内周に中栓外周のねじに螺合するねじが螺設され、切断可能な連結片２９を介して封緘帯３１が連設され、封緘帯は、裏面に口部拡径部の係止突条８に係合する係止突条３２が設けられている。【選択図】  図１
2006124000.tif 000002
【特許請求の範囲】
【請求項１】
内容物を収納した容器本体と、外筒と内筒と切断可能な底壁を設けた中栓と、中栓に装着される切断部材と、容器口筒部に装着され、中栓と切断部材を覆うキャップとからなり、中栓と切断部材とで容器本体の内容物とは異なる内容物を収納した二種内容物混合容器であって、
容器本体は、口筒部と、その下方に設けた口部拡径部とを具え、口筒部外周には、上下方向に延びる直線状の案内溝が設けられており、口部拡径部には、係止突条が突設され、
中栓外筒の内周には、容器口筒部の案内溝に嵌入し、中栓の回転を規制するリブが設けられ、外筒外周には、ねじが螺設されており、
中栓内筒には、その下端に周縁に沿って切断溝を刻設した底壁が連設され、内周上方から、下端周縁に前記切断溝を切断開封する切断刃を設けた切断部材が嵌挿されており、
キャップは、その内周に中栓外周のねじに螺合するねじが螺設され、切断可能な連結片を介して封緘帯が連設され、
封緘帯は、裏面に口部拡径部の係止突条に係合する係止突条が設けられていることを特徴とする二種内容物混合容器。
【請求項２】
封緘帯が、容器本体の肩部に載置され、口部拡径部の係止突条によって上昇が規制され、キャップの一方向への回転によって中栓を上昇させて、切断部材により中栓の底壁を切断開封するようにしたことを特徴とする請求項１記載の二種内容物混合容器。
【発明の詳細な説明】
【技術分野】
【０００１】
本発明は、二種内容物混合容器、とくに液体、または粉体を収納した収納部を開封し、その内容物を容器本体内の内容物に混合して使用するようにした二種内容物混合容器に関するものである。
【背景技術】
【０００２】
容器本体とキャップからなる容器において、容器本体の内容物とは種類の異なる液体、または粉体を収納した筒体と底蓋からなる収納部材を取着し、キャップを回転することにより、キャップの頂壁に垂設された押棒が底蓋を押下げて筒体から外し、内容物を容器本体の内容液に混合するようにした二種内容物混合容器は、従来より知られている（例えば特許文献１参照）。
【特許文献１】実開平０３−１０５４８３号公報
【発明の開示】
【発明が解決しようとする課題】
【０００３】
しかしながら、上記特許文献記載の従来技術では、二種内容物混合液を混合する際、キャップを回転下降させるため、キャップの下降を規制するストッパーを変形させたり、切取ったりしていた。
そのため、キャップを強い力で回転させたり、ストッパーを取外したりしなければならず、手間がかかるという問題があった。
【０００４】
また、二種内容物混合液を使用する際に、一度キャップを右方向に回転させ、収納部材の底蓋を押下げ、二種内容物を混合させてから、キャップを逆方向に回転させ、キャップを容器本体の口筒部より開蓋しなくてはならず、回転操作が簡単でないという問題があった。
さらに、キャップの頂壁に押棒が垂設されているため、内容物混合後には、押棒は全く不要な部分であり、開封時に邪魔になったりするという問題があった。
【０００５】
本発明は、上記の問題点を解決することを課題とし、容器本体と、中栓と、中栓を覆い容器本体に装着されるキャップとからなる容器において、キャップを一方向に回転させるだけで、中栓の内容物を容器本体内の内容物と混合させ、次いで、キャップと中栓とを容器本体から一緒に取り外すことができるようにした開封操作が簡単な二種内容物混合容器を提供することを目的とする。
【課題を解決するための手段】
【０００６】
本発明は、上記の課題を解決するため、二種内容物混合容器として、内容物を収納した容器本体と、外筒と内筒と切断可能な底壁を設けた中栓と、中栓に装着される切断部材と、容器口筒部に装着され、中栓と切断部材を覆うキャップとからなり、中栓と切断部材とで容器本体の内容物とは異なる内容物を収納した二種内容物混合容器であって、容器本体は、口筒部と、その下方に設けた口部拡径部とを具え、口筒部外周には、上下方向に延びる直線状の案内溝が設けられており、口部拡径部には、係止突条が突設され、中栓外筒の内周には、容器口筒部の案内溝に嵌入し、中栓の回転を規制するリブが設けられ、外筒外周には、ねじが螺設されており、中栓内筒には、その下端に周縁に沿って切断溝を刻設した底壁が連設され、内周上方から、下端周縁に前記切断溝を切断開封する切断刃を設けた切断部材が嵌挿されており、キャップは、その内周に中栓外周のねじに螺合するねじが螺設され、切断可能な連結片を介して封緘帯が連設され、封緘帯は、裏面に口部拡径部の係止突条に係合する係止突条が設けられていることを特徴とする構成を採用する。
【０００７】
封緘帯として、封緘帯が、容器本体の肩部に載置され、口部拡径部の係止突条によって上昇が規制され、キャップの一方向への回転によって中栓を上昇させて、切断部材により中栓の底壁を切断開封するようにしたことを特徴とする構成を採用する。
【発明の効果】
【０００８】
本発明の混合容器は、キャップを一方向に回転させることで、中栓を上昇させ、切断部材により中栓の切断溝を切断し、中栓の収納部を開封して内容物を混合させるようにしているので、混合のための操作が容易に行われるようになった。
混合後には、中栓の上昇に応じてキャップと封緘帯との間の連結片が切断されて、キャップと中栓と切断部材とを一緒に取り外すことができ、キャップの開閉操作が容易に行われるようになった。
【発明を実施するための最良の形態】
【０００９】
次に、本発明の二種内容物混合容器について図面を参照して説明する。
図１において、Ａは液体または粉体等の内容物を収納した容器本体、Ｂは収納部を設け、容器本体Ａの口筒部に上下方向に摺動自在として装着される中栓、Ｃは中栓Ｂに上下方向に摺動自在に装着され、中栓の底部を切断する切断部材、Ｄは容器本体Ａの口部に取着され、中栓Ｂと切断部材Ｃを覆うキャップである。
【００１０】
図１、２に示すように、容器本体Ａは、口筒部１と、その下方に形成された口部拡径部２、肩部３と胴部４、および底部５とを具えており、口筒部１の外周には、中栓Ｂの上下動を案内する一つまたは複数の案内溝６が刻設され、案内溝６上方の右側壁面には、左から右へ上昇する傾斜部７が設けられている。   
口部拡径部２の上部外周には、キャップＤを装着するための係止突条８が設けられている。
【００１１】
図１、３に示すように、中栓Ｂは、外筒１０と上壁１１、内筒１２とを具えており、外筒１０の外周面には、左ねじ１３が螺設されている。
外筒１０の内周面は、容器本体Ａの口筒部１外周面に上下方向に摺動自在に接合し、所定の位置には、口筒部１の外周に設けられた案内溝６に嵌入するリブ１４が配設されている。
なお、本明細書における左ねじとは、従来の容器、その他に使われている右ねじ（軸方向を見たとき時計回りにたどればその人から遠ざかるねじ山をもったねじ）に対して、反時計回りにたどれば遠ざかるねじ山をもったねじを左ねじという。  
【００１２】
内筒１２の外周面は、容器本体Ａの口筒部１内周面に上下方向に摺動自在に嵌挿され、内筒１２の内周面の上端部には係合突条１５が、下端部には縮径された縮径部１６が設けられている。
内筒１２の下端内周側には、底壁１７が連設されており、該底壁１７には、内筒１２内周に沿って切断溝１８が刻設されている。
【００１３】
切断部材Ｃは、頂壁２０と、該頂壁２０の周縁より内側に垂設された筒状の周壁２１とからなり、頂壁２０の外周縁と周壁２１外周面との間には、環状のフランジ部２２が形成されている。
【００１４】
周壁２１の外周面は、中栓Ｂの内筒１２の係合突条１５と縮径部１６に当接し、切断部材Ｃが中栓Ｂの内筒１２内で上下に摺動自在に装着される。
周壁２１の下端は、斜めに切截され、下端縁には、中栓Ｂの内筒１２の底壁１７の切断溝１８を切断する切断刃２３が形成されている。
【００１５】
切断部材Ｃの頂壁２０と周壁２１と、中栓Ｂの内筒１２と底壁１７によって、容器本体Ａの内容物とは異なる液体、または粉体等の内容物の収納部Ｃ１が形成されるようになっている。
【００１６】
キャップＤは、頂壁２５と、該頂壁２５の周縁より垂設された周壁２６とを具えており、周壁２６の内周面上部には、中栓Ｂの外筒１０の外周に設けられた左ねじ１３と螺合する左ねじ部２７が設けられている。
【００１７】
周壁２６の下端には、等間隔をおいて凸部２８が配設され、切断可能な複数の連結片２９、または薄肉部を介して凸部２８と対応する凹部３０を配設した封緘帯３１が連設されている。
封緘帯３１の内周には、容器本体Ａの口部拡径部２に設けられた係止突条８に係合する係止突条３２が設けられている。
【００１８】
次に、本実施例混合容器の使用態様と作用効果について説明する。
まず始めに、混合容器の組立方法について説明する。
図４に示すように、切断部材Ｃを頂壁２０を下にして倒立させ、液体、または粉末等、容器本体Ａに収納する内容物とは異なる内容物を、切断部材Ｃの周壁２１内に入れる。
【００１９】
次いで、中栓Ｂを倒立状態として、切断部材Ｃの周壁２１に嵌挿し、内方を収納部Ｃ１として封鎖する。
その際、中栓Ｂ内筒１２の係合突条１５が、切断部材Ｃの周壁２１と嵌合して、収納部Ｃ１内を密封する。
かくして、切断部材Ｃと中栓Ｂによって、内容物を収納した中栓Ｂが得られる。
【００２０】
一方、容器本体Ａ内に内容物が入れられ、図１に示すように、容器本体Ａの口筒部１に、切断部材Ｃを装着した中栓Ｂが装着される。
その際、容器本体Ａの口筒部１外周に設けられた案内溝６に、中栓Ｂの外筒１０内周に設けられたリブ１４が嵌入して、容器本体Ａの口筒部１の内、外周に、中栓Ｂの内筒１２外周と外筒１０内周が密接に係合しながら、容器本体Ａの口筒部１の上端と、中栓Ｂの上壁１１の下面が当接することにより、中栓Ｂによって容器本体Ａが密封される。
【００２１】
最後に、容器本体Ａ上方よりキャップＤを被せる。
その際、キャップＤ下端の封緘帯３１内周に設けられた係止突条３２が、容器本体Ａの口部拡径部２に設けられた係止突条８を乗り越え、係止して、キャップＤが容器本体Ａに締着され、封緘帯３１の下端が容器本体Ａの肩部３の上面に当接する。
また、キャップＤの頂壁２５下面と、切断部材Ｃの頂壁２０との間には若干の空隙ができるように、キャップＤは形成されている。
以上のようにして、二種類の内容物を収納した混合容器が得られる。
【００２２】
本実施例の混合容器では、中栓Ｂと切断部材Ｃとで形成される収納部Ｃ１、および、容器本体Ａと中栓Ｂとで形成される容器本体Ａ内の密封性が高いので、飲料品、食料品、化粧品、香料、薬品などの混合容器として利用できる。
【００２３】
混合容器の使用にあたっては、まず始めに、キャップＤを従来と同様に左方向に回転させることにより、キャップＤの周壁２６内周の左ねじ部２７下端と、中栓Ｂの外筒１０外周の左ねじ１３上端を螺合させる。
【００２４】
キャップＤを回転させていくと、中栓Ｂは、中栓Ｂの外筒１０内周に設けられたリブ１４と容器本体Ａの口筒部１に設けた案内溝６との係合により回転しないため、キャップＤの左方向への回転力により、中栓ＢはキャップＤ内で上昇していく。
その際、キャップＤは、封緘帯３１が容器本体Ａの口部拡径部２に係止され、キャップＤ下端の凸部２８と封緘帯３１の凹部３０が噛み合い、上下動しないで回転するだけである。
【００２５】
中栓Ｂが上昇しても、切断部材Ｃの頂壁２０上面は、キャップＤの頂壁２５下面に当接しているので、中栓Ｂだけが上昇することになり、切断部材Ｃの周壁２１が中栓Ｂの内筒１２の係合突条１５、および縮径部１６内周に当接し、摺動していく。
【００２６】
次いで、図５に示すように、切断部材Ｃの周壁２１下端の切断刃２３が、中栓Ｂの底壁１７の切断溝１８に当接し、切断溝１８を切断し、中栓Ｂの内筒１２下端に開口が形成される。
このことで、中栓Ｂの内筒１２と切断部材Ｃの収納部Ｃ１内に収納された内容物を容器本体Ａ内に落下させ、二種類の内容物を混合させることができる。
【００２７】
さらに、キャップＤを回転させていくと、図６に示すように、中栓Ｂの上壁１１に、切断部材Ｃのフランジ部２２下面が当接し、中栓Ｂと切断部材ＣとキャップＤとが一体化され、蓋体Ｅが形成されるとともに、中栓Ｂのリブ１４の下端が、容器本体Ａの口筒部１の案内溝６上部に設けられた傾斜部７上を摺動し、容器本体Ａの口筒部１より蓋体Ｅが競り上がる。
【００２８】
蓋体Ｅが容器本体Ａの口筒部１より競り上がることにより、キャップＤの周壁２６下端の連結片２９が切断され、次いで、キャップＤ下端の凸部２８と封緘帯３１の凹部３０との噛み合いが外れ、封緘帯３１を容器本体Ａの口部拡径部２に残したまま、キャップＤは上昇する。
最後に、蓋体Ｅを容器本体Ａの口筒部１から取外し、容器本体Ａを傾けると、口筒部１から混合物を注出することができる。
【００２９】
本実施例の混合容器では、容器本体Ａの口部拡径部２にキャップＤが装着され、切断部材Ｃを定位置に維持しているので、流通過程や商品の陳列時における切断部材の押圧を防ぎ、二種類の内容物の混合を阻止している。
【００３０】
混合液使用時の混合容器の再封にあたっては、容器本体Ａの口筒部１に、蓋体Ｅを被せ、キャップＤを下方に押圧しながら右回転することにより、中栓Ｂのリブ１４の下端が、容器本体Ａの口筒部１の案内溝６上部に設けられた傾斜部７上を摺動し、下降しながら、案内溝６の右側壁面に当接し、中栓Ｂの回転が止まる。
その際、キャップＤの下端は、封緘帯３１に衝接し、凸部２８が封緘帯３１の凹部３０に係合し、キャップＤは、上下動しないで回転する。
【００３１】
中栓Ｂは、キャップＤの右方向への回転により、容器本体Ａの口筒部１に沿って下降して、容器本体Ａ内を再封することができる。
【００３２】
上記実施例では、キャップＤの周壁２６の下端に、等間隔をおいて凸部２８を配設し、封緘帯３１に、凸部２８と対応する凹部３０を配設したが、逆に、周壁２６下端に凹部を配設し、封緘帯３１に凸部を配設してもよい。
また、周壁２６の下端と封緘帯３１の上端に凸部を配設してもよく、さらにまた、凸部、凹部の形状についても、波形であってもよく、上記実施例に限定されない。
【００３３】
上記実施例では、混合容器のキャップＤを開封時には左回転、再封時には右回転としたが、キャップＤの周壁２６内周に設けた左ねじ部２７と、中栓Ｂの外筒１０外周に設けた左ねじ１３との螺合機構を、左ねじから、右ねじに変え、それに伴い、容器本体Ａの口筒部１に設けた案内溝６上部の傾斜部７を、案内溝６の右側壁面から、左側壁面に右から左へ上昇するように設けることにより、混合容器のキャップＤを開封時には右回転、再封時には左回転とすることができる。
【産業上の利用可能性】
【００３４】
本発明の混合容器は、容器口筒部に、切断部材を装着し、容器本体の内容物とは異なる内容物の収納部を設けた中栓と、それを覆うキャップを容器本体に装着し、キャップの一方向への回転により中栓を上昇させ、中栓の収納部を開いて、二種類の内容物を混合させ、次いで、中栓とともに、キャップを上昇させて封緘帯とを切断して開閉操作ができるようにしたので、混合容器として、操作性がきわめて向上した。
したがって、本発明の混合容器は、薬品、飲食料、化粧品、その他の混合容器として、広く利用することができる。
【図面の簡単な説明】
【００３５】
【図１】本発明混合容器の一部断面立面図である。
【図２】容器本体の斜視図である。
【図３】中栓、切断部材、キャップの分解説明図である。
【図４】内容物収納時の切断部材と中栓の断面立面図である。
【図５】中栓底壁の開封時の一部断面立面図である。
【図６】混合後の容器の一部断面立面図である。
【符号の説明】
【００３６】
Ａ          容器本体    
Ｂ          中栓
Ｃ          切断部材    
Ｃ１        収納部
Ｄ          キャップ
Ｅ          蓋体
１          口筒部
２          口部拡径部
３          肩部
６          案内溝
７          傾斜部
８          係止突条
１０        外筒
１１        上壁
１２        内筒
１３        左ねじ
１４        リブ
１５        係合突条
１６        縮径部
１７        底壁
１８        切断溝
２０        頂壁
２１        周壁
２２        フランジ部
２３        切断刃
２５        頂壁
２６        周壁
２７        左ねじ部
２８        凸部
２９        連結片
３０        凹部
３１        封緘帯
３２        係止突条
【図１】
2006124000.tif 000003
【図２】
2006124000.tif 000004
【図３】
2006124000.tif 000005
【図４】
2006124000.tif 000006
【図５】
2006124000.tif 000007
【図６】
2006124000.tif 000008